(57)【特許請求の範囲】
【請求項１】
内容物を収容する胴部と、
該胴部の先端から内向きに延びて、その先端を閉塞し、かつ胴部より厚肉に形成された水平部と、
該水平部の中心付近から上方に延びる筒状の頭部とを備え、
該頭部の外周に雄ネジが形成され、
前記胴部と水平部と頭部とが金属製で、かつそれらが一体に成形され、
前記水平部の直下近傍の胴部には、前記水平部と平行に走る溝が設けられ、
その溝が胴部の外表面側のみを内向きに窪ませたものであることを特徴とするチューブ容器。
【請求項２】
内容物を収容する胴部と、
該胴部の先端から内向きに延びて、その先端を閉塞し、かつ胴部より厚肉に形成された水平部と、
該水平部の中心付近から上方に延びる筒状の頭部とを備え、
該頭部の外周面が先端から外向きに広がるテーパ状に形成された面であるテーパ部および該テーパ部の後端から内向きに延びた面である突起部からなり、
前記胴部と水平部と頭部とが金属製で、かつそれらが一体に成形され、
前記水平部の直下近傍の胴部には、前記水平部と平行に走る溝が設けられ、
その溝が胴部の外表面側のみを内向きに窪ませたものであることを特徴とするチューブ容器。
【請求項３】
前記溝は、胴部の全周にわたり、間隔を置いて継続的に形成した偏平な溝であることを特徴とする請求項１または２記載のチューブ容器。
【請求項４】
前記溝が等間隔で２本以上形成されている請求項１または２記載のチューブ容器。
【発明の詳細な説明】
【技術分野】
【０００１】
本発明は、チューブ容器に関するもので、さらに詳しくは、チューブ容器内に収容された内容物が残らないチューブ容器に関するものである。
【背景技術】
【０００２】
このようなチューブ容器は、従来より数多く提案されており、例えば実公昭５３−５２４号公報に開示されたチューブ容器がある（特許文献１参照）。これに類似するチューブ容器として、従来図８及び図９に示すチューブ容器があった。図８に示すチューブ容器は、開口部３０を形成した頭部３１と、頭部３１から下方へ一様に傾斜した肩部３２と、該肩部３２の下方に続く内容物を収容する胴部３３とからなるチューブ容器であり、開口部３０には封緘蓋３４が嵌挿してあり、肩部３２の直下近傍、すなわち胴部３３の上端位置の表面には、開口部３０と平行に走る一本のリング状の溝３５が形成してある（特許文献１では、半月円形状凹溝が開示されている）。すなわち、溝３５に沿って胴部３３を屈曲させることが容易となり、最後の段階での内容物の押し出し性を向上させたものである。図９は、図８のチューブ容器の開口部３０に封緘蓋３４を取り付けていない状態を示したものである。
【特許文献１】実公昭５３−５２４号公報（１−２頁、第２図）
【発明の開示】
【発明が解決しようとする課題】
【０００３】
上記の従来例においては、頭部３１及び肩部３２は内容物を緊密に封止するための雄ねじが形成され、また、キャップを取り付けるために肉厚を厚くし強度を保持しているため、胴部３３内の内容物がすべて押し出された後にも、肩部３２内に内容物が残ってしまうという欠点があった。そして、この肉厚の厚い肩部３２を手で潰して、肩部３２内に残った内容物をすべて押し出すためには、大きな指の力が必要であり、老人、女性、子供にとっては極めて困難なことであった。また、肩部３２内の内容物を残存した状態で廃棄することは、資源が無駄になるという欠点があった。この発明は、このような課題に着目してなされたものであり、内容物のすべてが容易に押し出すことができ、内容物がチューブ容器に残らないチューブ容器を提供することを目的とする。
【課題を解決するための手段】
【０００４】
本発明に係るチューブ容器は、内容物を収容する胴部と、該胴部の先端から内向きに延びて、その先端を閉塞し、かつ胴部より厚肉に形成された水平部と、該水平部の中心付近から上方に延びる筒状の頭部とを備え、該頭部の外周に雄ねじが形成され、前記胴部と水平部と頭部とが金属製で、かつそれらが一体に成形され、前記水平部の直下近傍の胴部には、前記水平部と平行に走る溝が設けられ、その溝が胴部の外表面側のみを内向きに窪ませたものであることを特徴とする。ここで、溝に関しては、特に限定するものではないが、胴部の全周にわたって連続的に形成してもよいし、請求項３記載の発明のように、間隔を置いて偏平な溝を断続的に形成してもよい。このように構成することにより、溝に沿って胴部を容易に屈曲させることが可能となり、内容物を容易に押し出すことができると共に、チューブ容器には従来の傾斜したいわゆる肩部が存在せず水平部となっているため、胴部内の内容物を完全に押し出すことが可能となり、チューブ容器内に内容物を残存させることを確実に防ぐことができる。
【発明の効果】
【０００５】
本発明によれば、チューブ容器の胴部先端に水平部を形成し、且つ水平部の直下近傍の胴部に、前記水平部と平行に走る溝を設けることにより、溝に沿って胴部を容易に屈曲させることが可能となり、内容物を容易に押し出すことができるため、内容物の残量が僅少になっても、適度の力を加えるだけで誰でも容易に胴部内の内容物を完全に押し出すことができる。また、チューブ容器に肩部が存在しないため、前記効果と相まって、チューブ容器内に内容物を残存させることを確実に防ぐことができ、商品価値に非常に優れたチューブ容器を提供することができる。
【発明を実施するための最良の形態】
【０００６】
資源が無駄になることを防止するという目的を、胴部先端に形成した水平部と、胴部に形成した溝との相乗作用により実現した。
【０００７】
図１は、本発明の参考例1を示すものであり、この例のチューブ容器は、内容物を出し入れする頭部２と、内容物を収容する胴部３と、当該胴部３の頭部２寄り端部において側方へ水平に張りだした水平部４とから構成されている。頭部２は、円筒形状をしており、外周壁にはキャップ蓋（図示省略）と螺合する雄ねじ５が螺設されている。また、上端には頭部２の開口部６の内径以上頭部２の外径未満の凹部７が形成されており、その凹部７には、未使用時にキャップ蓋を外し誤って内容物が外部に出ないよう、また、内容物が外気などに触れないようにするための封緘蓋８が嵌合されている。胴部３は、内筒形状をしており、下端部分は、偏平状に潰して頭部２に向けて二重又は三重に折り曲げることにより封鎖されている。また、水平部４の直下、即ち胴部３の上端位置の外周壁には、１本のリング状の溝９が形成されている。溝９の形状は、外周壁にのみ内側方向に窪みを設け、その箇所を薄肉状に成形するものである（図示してない）。なお、本発明が適用されるチューブ容器は、金属チューブである。
【０００８】
図２は、本発明の参考例２を示すもので、参考例１と相違するところは、胴部３の上端位置の外周壁に形成された前記リング状の溝９の直下近傍に、さらにもう１本同形状の溝９を形成し、胴部３の外周壁に溝を２本形成した点である。２本の溝９，９は、上下方向に水平部４から等間隔を置いて蛇腹状に形成されている。このように、胴部３の上端位置に２本の溝９，９を設けることにより、胴部３の屈曲性が向上し、小さな力でも容易に胴部３を潰すことが可能となる。
【０００９】
図３は、本発明の参考例３を示すもので、参考例１と相違するところは、胴部３の上端位置の外周壁に、一定の間隔を置いて偏平な溝１０を断続的に形成した点である。参考例１のように、溝を必ずしも連続的に設けなくとも、胴部３を容易に屈曲させることが可能となり、内容物を容易に押し出すことができる。溝の形状は、必ずしも偏平状の溝とは限らず、円形状の溝（ディンプル状）等であってもよい。
【００１０】
図４は、本発明の参考例4を示すもので、参考例１と相違するところは、頭部２の上端に封緘蓋８を嵌合させるための凹部７が形成されておらず、頭部２の上端が直接開口部６になっている点である。このように構成することで、キャップ蓋を外した際に、他の作業を介さずに直ぐに内容物を押し出し使用することができる。
【００１１】
図５は、本発明の参考例５を示すもので、参考例４と相違するところは、胴部３の上端位置の外周壁に形成されたリング状の溝９の直下近傍に、さらにもう１本同形状の溝９を形成し、胴部３の外周壁に溝を２本形成した点である。
【００１２】
図６及び図７は、本発明の参考例６を示すもので、この参考例６の特徴は、頭部１２の外周に雄ねじが形成されないで、テーパ部１２ａ及び突起部１２ｂが形成されている点にある。このような頭部１２には、図７に示すようなキャップ２０が係合される。キャップ２０の内側には、嵌合筒２２が形成され、この嵌合筒２２の下端には、縦方向のスリットによって分離された複数の係止片２３が形成されている。又天面には針体２５が形成されている。そして、キャップ２０の外周筒２４を押圧することにより、頭部１２の突起部１２ｂと、係止片２３との係合が解除され、頭部１２からキャップ２０を取り外すことができる。そして、針体２５で封緘蓋１８を穿孔することによりチューブ容器を開封できる。また、キャップ２０を取り付ける場合は、キャップ２０を頭部１２に挿入し、キャップ２０の天面を軽く押圧するだけで、係止片２３は頭部１２の突起部１２ｂに弾発的に係合する。なお、水平部１４の直下、即ち胴部１３の上端位置の外周壁に１本のリング状の溝１９が形成されている構成は、他の実施形態と同様である。溝１９の数については、２本以上形成することも可能である（図示せず）。
【産業上の利用可能性】
【００１３】
本発明の活用例として、溝に沿って胴部を容易に屈曲させることが可能となり、内容物を容易に押し出すことができると共に、チューブ容器には従来の傾斜したいわゆる肩部が存在せず水平部となっているため、胴部内の内容物を完全に押し出すことが可能であるから、内容物が非常に高価な薬剤等である場合、内容物をチューブ容器内に残留させることなく、内容物を完全に使い切ることができるので無駄にならない。又、子供、老人等でも、内容物を使い切ることができるので、資源の有効利用分野において利用価値がある。
【図面の簡単な説明】
【００１４】
【図１】本発明の参考例１を示す断面図である。
【図２】本発明の参考例２を示す断面図である。
【図３】本発明の参考例３を示す断面図である。
【図４】本発明の参考例４を示す断面図である。
【図５】本発明の参考例５を示す断面図である。
【図６】本発明の参考例６を示す断面図である。
【図７】本発明の参考例６において、キャップを係合した一部切欠き断面図である。
【図８】従来のチューブ容器を示す断面図である。
【図９】従来のチューブ容器を示す断面図である。
【符号の説明】
【００１５】
２  １２  頭部
３  １３  胴部
４  １４  水平部
６  １６  開口部
９  １９  リング状の溝（溝）
１０  偏平な溝（溝）
１２ａ  テーパー部
１２ｂ  突起部
【図１】
0004295581.tif 000002
【図２】
0004295581.tif 000003
【図３】
0004295581.tif 000004
【図４】
0004295581.tif 000005
【図５】
0004295581.tif 000006
【図６】
0004295581.tif 000007
【図７】
0004295581.tif 000008
【図８】
0004295581.tif 000009
【図９】
0004295581.tif 000010